(57)【要約】  複数の照明ノードを対象領域内の移動物体へ配向させ照明するように構成されるスマートモジュール式照明システムのための装置および方法が提供される。システムは、動き検出器が対象領域内で動きを観測した場合に、照明ノードに信号伝達するコントローラを備える。コントローラは、対象領域内の環境光が所定値を超えた場合に、照明ノードに信号伝達しないようにする。照明ノードのそれぞれに結合された調整可能取付部材は、コントローラから受信された信号に従って照明ノードを配向させる。スマートモジュール式照明システムは、照明ノードの全ての向きおよび明るさを調整して、様々な角度から移動物体に光を当てることによって、影の発生を減少させるように構成される。
2017534167.tif 000002
【特許請求の範囲】
【請求項１】
スマートモジュール式照明システムであって、
少なくとも１つの信号を受信、送信、および処理するように構成されるコントローラと、
コントローラに動作可能に結合され、少なくとも１つの動きを検出し、少なくとも１つの信号を送信および受信するように構成される少なくとも１つの動き検出器と、
コントローラに動作可能に結合され、少なくとも１つの信号を送信および受信し、調整可能に照明するように構成される複数の照明ノードと、
コントローラに動作可能に結合され、表面に複数の照明ノードを対応して結合するように構成される複数の調整可能取付部材であって、少なくとも１つの信号を送信および受信し、複数の照明ノードを調整可能に配置するように構成される、複数の調整可能取付部材と、
コントローラ、少なくとも１つの動き検出器、複数の照明ノード、複数の調整可能取付部材、および環境光のレベルを検出するように構成される夕暮れ−夜明け間センサの少なくとも１つを収容するように構成される筐体と
を備える、システム。
【請求項２】
筐体が、複数の照明ノードを格納、制御、充電および管理するように構成される、請求項１に記載のシステム。
【請求項３】
コントローラが、非一時的機械可読媒体に記憶される実行可能命令のセットによって動作可能であり、複数の照明ノードが、少なくとも１つの動きに応答して、影を減少させ視認性を向上させるために、複数の角度から対象領域を照明するように構成される、請求項１に記載のシステム。
【請求項４】
複数の照明ノードのそれぞれが、手持ちモードおよび作業灯モードの少なくとも一方で使用されるように構成される、請求項１に記載のシステム。
【請求項５】
コントローラおよび複数の照明ノードが、内部電源および外部電源の少なくとも一方によって電力供給可能であり、内部電源が、充電式電源および静止型電源の少なくとも一方を備える、請求項１に記載のシステム。
【請求項６】
コントローラが、対象領域に向けられる照度が調整可能である、個別動作およびグループ単位動作の少なくとも一方のモードで複数の照明ノードを動作させるように構成される、請求項１に記載のシステム。
【請求項７】
複数の照明ノードが、内部電源および外部電源の少なくとも一方によって電力供給可能であり、内部電源が外部電源によって充電可能である、請求項１に記載のシステム。
【請求項８】
複数の照明ノードが、磁石、クリップ、および任意の他の調整可能な結合構造の少なくとも１つによって筐体に取り外し可能かつ調整可能に結合するように構成される、請求項１に記載のシステム。
【請求項９】
複数の照明ノードが、それぞれ、発光ダイオード（ＬＥＤ）および任意の他の照明デバイスの少なくとも１つを備える、請求項１に記載のシステム。
【請求項１０】
複数の調整可能取付部材が、所望の角度で照明を向けるための複数の調整可能基部を備える、請求項１に記載のシステム。
【請求項１１】
コントローラ、少なくとも１つの動き検出器、複数の照明ノード、および複数の調整可能取付部材のいずれかが、有線および無線の少なくとも一方で少なくとも１つの信号を送信および受信するように構成される、請求項１に記載のシステム。
【請求項１２】
スマートモジュール式照明システムを作製する方法であって、
少なくとも１つの信号を受信、送信、および処理するように構成されるコントローラを設けることと、
コントローラに動作可能に結合され、少なくとも１つの動きを検出し、少なくとも１つの信号を送信および受信するように構成される少なくとも１つの動き検出器を設けることと、
コントローラに動作可能に結合され、少なくとも１つの信号を送信および受信し、調整可能に照明するように構成される複数の照明ノードを設けることと、
コントローラに動作可能に結合され、表面に複数の照明ノードを対応して結合するように構成される複数の調整可能取付部材を設けることであって、複数の調整可能取付部材が、少なくとも１つの信号を送信および受信し、複数の照明ノードを調整可能に配置するように構成される、設けることと
を備える、方法。
【請求項１３】
コントローラ、少なくとも１つの動き検出器、複数の照明ノード、および複数の調整可能取付部材の少なくとも１つを収容するための筐体を設けることと、
コントローラに動作可能に結合され、少なくとも環境光のレベルを検出し、少なくとも１つの信号を送信および受信するように構成される夕暮れ−夜明け間センサを設けることと
をさらに備える、請求項１２に記載の方法。
【請求項１４】
スマートモジュール式照明システムによって対象領域を照明する方法であって、
複数の照明ノードを備えるスマートモジュール式照明システムを用意することであって、照明ノードのそれぞれが調整可能取付部材によって調整可能に支持される、用意することと、
スマートモジュール式照明システムに電力供給することと、
対象領域内の少なくとも１つの動きを検出することと、
複数の照明ノードの少なくとも１つの照明を調整することと、
複数の照明ノードの少なくとも１つの向きを調整可能取付部材によって調整することと
を備え、
それによって、少なくとも１つの動きに応答して、対象領域内の影を減少させ、視認性を向上させる、方法。
【請求項１５】
スマートモジュール式照明システムを用意することが、
少なくとも１つの信号を受信、送信、および処理するように構成されるコントローラを設けることと、
コントローラに動作可能に結合され、少なくとも１つの動きを検出し、少なくとも１つの信号を送信および受信するように構成される少なくとも１つの動き検出器を設けることと、
コントローラに動作可能に結合され、少なくとも１つの信号を送信および受信し、調整可能に照明するように構成される複数の照明ノードを設けることと、
コントローラに動作可能に結合され、表面に複数の照明ノードを対応して結合するように構成される複数の調整可能取付部材を設けることであって、複数の調整可能取付部材が、少なくとも１つの信号を送信および受信し、複数の照明ノードを調整可能に配向させるように構成される、設けることと、
コントローラ、少なくとも１つの動き検出器、複数の照明ノード、および複数の調整可能取付部材の少なくとも１つを収容するように構成される筐体を設けることと、
コントローラに動作可能に結合され、対象領域内の環境光の度合いを検出するように構成される夕暮れ−夜明け間センサを設けることと
をさらに備え、
コントローラが、非一時的機械可読媒体に記憶される実行可能命令のセットによって動作可能である、請求項１４に記載のシステム。
【発明の詳細な説明】
【技術分野】
【０００１】
本出願は、２０１５年１１月６日に出願された米国特許出願第１４／９３５，２７４号、および「Ｍｏｄｕｌａｒ  Ｉｌｌｕｍｉｎａｔｉｏｎ  Ｓｙｓｔｅｍ」と題され、２０１４年１１月７日に出願され、出願番号第６２／０７７，０４９号を有する米国仮出願の利益および優先権を主張する。
【０００２】
本開示の分野は、一般的には照明に関する。より詳細には、本開示の分野は、スマート動き検出照明のための装置および方法に関する。
【背景技術】
【０００３】
関連技術では、多数の動き検出器照明デバイスおよびシステムが使用されている。たとえば、屋外照明器具の分野では、壁灯または壁燭台（ｗａｌｌ  ｓｃｏｎｃｅ）は、典型的には、内蔵の動き検出器および夕暮れ−夜明け間センサ（ｄｕｓｋ−ｔｏ−ｄａｗｎ  ｓｅｎｓｏｒ）を組み込んでいる。しかしながら、これらの関連技術の屋外照明器具は据え付けであり、すなわち照明器具の向きを再配置するために手動操作を必要とし、これは、照明器具が典型的には高い所に、たとえばガレージの上の方に取り付けられる広い領域の照明に関しては、実用的でない場合がある。
【０００４】
屋内使用では、関連技術の屋内照明器具は、動き検出器電球、ランプなどを含み得る。関連技術の屋内照明器具は自動的に、動きが検出された場合に照明を付け、動きが検出されなくなった場合に照明を消すことができるが、これらの関連技術の屋外照明器具も同様に据え付けであり、すなわち照明器具の向きを再配置するために手動操作を必要とする。
【発明の概要】
【課題を解決するための手段】
【０００５】
しかしながら、これらの関連技術の照明器具は、照度も照明角も自動的に調整または再調整しない。したがって、スマート照明システムに対する長年のニーズが存在する。
【０００６】
対象領域内の移動物体に光を当てるよう複数の照明ノードに信号伝達するように構成されるコントローラを備えるスマートモジュール式照明システムのための装置および方法が提供される。動き検出器は、対象領域内の物体の動きを検出し、動きが検出された場合にコントローラに信号伝達するように構成される。夕暮れ−夜明け間センサは、対象領域内の環境光の度合いを検出するように構成される。環境光が所定のレベルより高い場合、たとえば日照状態の間に、コントローラは、動き検出器から受信された信号に関わらず、照明ノードに信号伝達しないようにする。照明ノードのそれぞれに結合された調整可能取付部材は、コントローラから受信された信号に応答して、照明ノードを移動物体へ配向させるように構成される。スマートモジュール式照明システムは、照明ノードの向きおよび照明を調整して、移動物体に様々な角度から光を当てることによって、影の発生を減少させるように構成される。
【０００７】
一例示的実施形態では、スマートモジュール式照明システムは、少なくとも１つの信号を受信、送信、および処理するように構成されるコントローラと、コントローラに動作可能に結合され、少なくとも１つの動きを検出し、少なくとも１つの信号を送信および受信するように構成される少なくとも１つの動き検出器と、コントローラに動作可能に結合され、少なくとも１つの信号を送信および受信し、調整可能に照明するように構成される複数の照明ノードと、コントローラに動作可能に結合され、表面に複数の照明ノードを対応して結合するように構成される複数の調整可能取付部材であって、少なくとも１つの信号を送信および受信し、複数の照明ノードを調整可能に配置するように構成される、複数の調整可能取付部材と、コントローラ、少なくとも１つの動き検出器、複数の照明ノード、複数の調整可能取付部材、および夕暮れ−夜明け間センサの少なくとも１つを収容するように構成される筐体とを備える。
【０００８】
他の例示的実施形態では、筐体が、複数の照明ノードを格納、制御、充電および管理するように構成される。他の例示的実施形態では、コントローラが、非一時的機械可読媒体に記憶される実行可能命令のセットによって動作可能であり、複数の照明ノードが、少なくとも１つの動きに応答して、影を減少させ視認性を向上させるために、複数の角度から対象領域を照明するように構成される。
【０００９】
他の例示的実施形態では、複数の照明ノードのそれぞれが、手持ちモードおよび作業灯モードの少なくとも一方で使用されるように構成される。他の例示的実施形態では、コントローラおよび複数の照明ノードが、内部電源および外部電源の少なくとも一方によって電力供給可能であり、内部電源が、充電式電源および静止型電源の少なくとも一方を備える。他の例示的実施形態では、コントローラが、対象領域に向けられる照度が調整可能である、個別動作およびグループ単位動作の少なくとも一方のモードで複数の照明ノードを動作させるように構成される。
【００１０】
他の例示的実施形態では、複数の照明ノードが、内部電源および外部電源の少なくとも一方によって電力供給可能であり、内部電源が外部電源によって充電可能である。他の例示的実施形態では、複数の照明ノードが、磁石、クリップ、および任意の他の調整可能な結合構造の少なくとも１つの機能によって筐体に取り外し可能かつ調整可能に結合するように構成される。他の例示的実施形態では、複数の照明ノードが、それぞれ、発光ダイオード（ＬＥＤ）および任意の他の照明デバイスの少なくとも１つを備える。
【００１１】
他の例示的実施形態では、複数の調整可能取付部材が、所望の角度で照明を向けるための複数の調整可能基部を備える。他の例示的実施形態では、コントローラ、少なくとも１つの動き検出器、複数の照明ノード、および複数の調整可能取付部材のいずれかが、有線および無線の少なくとも一方で少なくとも１つの信号を送信および受信するように構成される。
【００１２】
一例示的実施形態では、スマートモジュール式照明システムを作製する方法は、少なくとも１つの信号を受信、送信、および処理するように構成されるコントローラを設けることと、コントローラに動作可能に結合され、少なくとも１つの動きを検出し、少なくとも１つの信号を送信および受信するように構成される少なくとも１つの動き検出器を設けることと、コントローラに動作可能に結合され、少なくとも１つの信号を送信および受信し、調整可能に照明するように構成される複数の照明ノードを設けることと、コントローラに動作可能に結合され、表面に複数の照明ノードを対応して結合するように構成される複数の調整可能取付部材を設けることであって、複数の調整可能取付部材が、少なくとも１つの信号を送信および受信し、複数の照明ノードを調整可能に配置するように構成される、設けることとを備える。
【００１３】
他の例示的実施形態では、方法は、コントローラ、少なくとも１つの動き検出器、複数の照明ノード、複数の調整可能取付部材の少なくとも１つを収容するための筐体を設けることと、コントローラに動作可能に結合され、少なくとも１つの動きを検出し、少なくとも１つの信号を送信および受信するように構成される夕暮れ−夜明け間センサを設けることとをさらに備える。
【００１４】
一例示的実施形態では、スマートモジュール式照明システムによって対象領域を照明する方法は、複数の照明ノードを備えるスマートモジュール式照明システムを用意することであって、照明ノードのそれぞれが調整可能取付部材によって調整可能に支持される、用意することと、スマートモジュール式照明システムに電力供給することと、対象領域内の少なくとも１つの動きを検出することと、複数の照明ノードの少なくとも１つの照明を調整することと、複数の照明ノードの少なくとも１つの向きを調整可能取付部材によって調整することとを備え、それによって、少なくとも１つの動きに応答して、対象領域内の影を減少させ、視認性を向上させる。
【００１５】
他の例示的実施形態では、スマートモジュール式照明システムを用意することが、少なくとも１つの信号を受信、送信、および処理するように構成されるコントローラを設けることと、コントローラに動作可能に結合され、少なくとも１つの動きを検出し、少なくとも１つの信号を送信および受信するように構成される少なくとも１つの動き検出器を設けることと、コントローラに動作可能に結合され、少なくとも１つの信号を送信および受信し、調整可能に照明するように構成される複数の照明ノードを設けることと、コントローラに動作可能に結合され、表面に複数の照明ノードを対応して結合するように構成される複数の調整可能取付部材を設けることであって、複数の調整可能取付部材が、少なくとも１つの信号を送信および受信し、複数の照明ノードを調整可能に配向させるように構成される、設けることと、コントローラ、少なくとも１つの動き検出器、複数の照明ノード、および複数の調整可能取付部材の少なくとも１つを収容するように構成される筐体を設けることと、コントローラに動作可能に結合され、対象領域内の環境光の度合いを検出するように構成される夕暮れ−夜明け間センサを設けることとをさらに備え、コントローラが、非一時的機械可読媒体に記憶される実行可能命令のセットによって動作可能である。
【００１６】
図面は、本開示の実施形態を参照する。
【図面の簡単な説明】
【００１７】
【図１】本開示による、スマートモジュール式照明システムの一例示的実施形態を示す概略図である。
【図２】本開示による、スマートモジュール式照明システムを作製する一例示的方法を示すフローチャートである。
【図３】本開示による、スマートモジュール式照明システムによって対象領域を照明する一例示的方法を示すフローチャートである。
【発明を実施するための形態】
【００１８】
本開示が様々な修正および代替的形態の対象となるが、その特定の実施形態が例として図面に示されており、本明細書で詳細に説明される。本発明は開示された特定の形態に限定されないものと理解されるべきであるが、むしろ本発明は、本開示の精神および範囲内に入る全ての修正、均等物、および代替物を網羅する。
【００１９】
以下の説明では、本開示の完全な理解を与えるために、多数の特定の詳細が記載されている。しかしながら、本明細書で開示された発明がこれらの特定の詳細なしでも実践され得ることは、当業者には明らかであろう。他の例では、特定の番号参照、たとえば「第１のシステム」がなされ得る。しかしながら、特定の番号参照は、文字通りの順番として解釈されるべきでなく、「第１のシステム」が「第２のシステム」と異なるものと解釈されるべきである。したがって、記載された特定の詳細は例示的なものにすぎない。特定の詳細は変更することができ、なおも本開示の精神および範囲内にあると考えられる。「結合される」という用語は、構成要素に直接的に接続される、または構成要素に間接的に他の構成要素を介して接続されるという意味として定義される。さらに、本明細書で使用される場合、任意の数値または数値範囲に関する「約」、「近似的に」、または「実質的に」という用語は、本明細書に記載の意図された目的のために構成要素の一部または集合が機能することが可能になる適切な寸法公差を示す。
【００２０】
概して、本開示は、複数の照明ノードを対象領域内の移動物体へ配向させ照明するように構成されるスマートモジュール式照明システムのための装置および方法を提供する。複数の照明ノードは、発光ダイオード（ＬＥＤ）、ならびに任意の適切な光源を備えることができる。システムは、動き検出器が対象領域内で動きを観測した場合に、照明ノードに信号伝達するコントローラを備える。コントローラは、対象領域内の環境光が所定のレベルを超えた場合には、照明ノードに信号伝達しないようにする。照明ノードのそれぞれに結合された調整可能取付部材は、コントローラから受信された信号に従って照明ノードを配向させる。照明ノードおよび調整可能取付部材は、有線接続または無線接続によってコントローラに結合することができる。スマートモジュール式照明システムは、照明ノードの全ての向きおよび明るさを調整して、様々な角度から移動物体に光を当てることによって、影の発生を減少させるように構成される。
【００２１】
図１は、本開示による、スマートモジュール式照明システム１００の一例示的実施形態を示す概略図である。システム１００は、一般的には、対象領域の照度を制御するために、少なくとも１つの動き検出器１０８および複数の照明ノード１１２と動作可能に結合されるコントローラ１０４を備える。照明ノード１１２は、好ましくは、１つまたは複数の発光ダイオード（ＬＥＤ）、または対象領域を照明するのに適した任意の他の照明デバイスから構成される。
【００２２】
図１に示された実施形態では、コントローラ１０４は、動き検出器１０８から受信された１つまたは複数の信号に応答して複数の照明ノード１１２を動作させるための１つまたは複数の信号を送信するように構成される。コントローラ１０４は、一般的には、本明細書に記載のように複数の照明ノード１１２をコントローラに動作させる、非一時的機械可読媒体（すなわちメモリ）に記憶される命令を実行するように構成される１つまたは複数のマイクロプロセッサを備える。動作中に、コントローラ１０４は、動き検出器１０８によって領域内で物体の動きが検出された場合に、対象領域を調整可能に照明するように照明ノード１１２に指示する。したがって、複数の照明ノード１１２のそれぞれは、コントローラ１０４が照明ノード１１２のそれぞれの向きを調整することができる調整可能取付部材１１６に結合される。このようにして、動き検出器１０８によって対象領域内で物体の動きが検出された場合に、コントローラ１０４は、調整可能取付部材１１６によって照明ノード１１２を物体に向けることができる。
【００２３】
コントローラ１０４は、対象領域を調整可能に照明するために、個別動作モードおよびグループ単位動作モードの少なくとも１つで照明ノード１１２を動作させることによって、照度を調整することができる。個別動作モードでは、コントローラ１０４は、対象領域内で照度を調整するために個々の照明ノード１１２の向きを変更することができる。グループ単位動作モードでは、コントローラ１０４は、複数の照明ノード１１２の向きを変更することができる。いくつかの実施形態において、コントローラ１０４が、照明ノードが同じ方向に同時に動くように、照明ノード１１２の向きを一斉に調整できることが想定されている。たとえば、コントローラ１０４は、動きが検出された領域を照明するために、照明ノード１１２の全てを右または左にパンさせることができる。さらに、いくつかの実施形態では、コントローラ１０４は、照明ノード１１２の向きを異なる方向に同時に調整することができる。たとえば、コントローラ１０４は、対象領域内で動きが検出された特定の場所を複数の照明ノード１１２に協同的に照明させることができる。このようにして、複数の照明ノード１１２は、特定の場所に複数の異なる角度から光を当てる。理解されるように、複数の照明ノード１１２を複数の角度で特定の場所に向けることによって、照明ノード１１２が同じ方向に配向した状態では、本来発生するはずの影のインスタンスが減少する。さらに、照明ノードを特定の場所へ配向させることによって、視認性が向上するだけでなく、動き検出精度が向上する。
【００２４】
図１に示された実施形態では、スマートモジュール式照明システム１００は、コントローラ１０４および複数の照明ノード１１２に動作可能に結合された夕暮れ−夜明け間センサ１２０を備える。夕暮れ−夜明け間センサ１２０は、システム１００付近の環境光の度合いを検出し、少なくとも１つの対応する信号をコントローラに送信するように構成される。いくつかの実施形態では、夕暮れ−夜明け間センサ１２０は、環境光が所定のレベルより高いと分かった場合に、たとえば日照時間中に、動き検出器１０８から受信される信号を無視するようにコントローラ１０４に信号伝達することができる。他の実施形態では、夕暮れ−夜明け間センサ１２０は、所定のレベルより高い環境光に応答して開放したままとなって、コントローラ１０４からの信号が複数の照明ノード１１２に到達しないようにするスイッチとして動作することができる。理解されるように、夕暮れ−夜明け間センサ１２０は、対象領域の照明が不要である時間の間に複数の照明ノード１１２のアクティブ化を阻止して、スマートモジュール式照明システム１００の動作に関する電気料金を減少させる。
【００２５】
スマートモジュール式照明システム１００は、少なくともコントローラ１０４、動き検出器１０８、夕暮れ−夜明け間センサ１２０、および関連する回路のための機械的おおいとして機能する筐体１２４をさらに備える。筐体１２４が、スマートモジュール式照明システム１００を備えるそれらの特定の構成要素および回路のための保護用おおいを提供することは認識されよう。図１の例示的実施形態では、複数の照明ノード１１２は、調整可能取付部材１１６によって筐体１２４に結合される。理解されるように、調整可能取付部材１１６のそれぞれは、照明ノード１１２のそれぞれから光を所望の角度で向けるための調整可能基部を基本的に備える。いくつかの実施形態では、調整可能取付部材１１６のそれぞれは、磁石、クリップ、ならびに任意の他の調整可能な結合構造のいずれかによって筐体１２４に取り外し可能に結合することができる。
【００２６】
理解されるように、筐体１２４は、調整可能取付部材１１６を支持可能な表面を提供する。一実施形態では、照明ノード１１２のそれぞれは、筐体１２４の表面から取り外し可能にすることができる。たとえば、照明ノード１１２のそれぞれは、手持ちモードおよび作業灯モードの少なくとも一方で動作するように構成することができる。手持ちモードでは、照明ノード１１２のいずれかを、筐体１２４の表面から手で取り外して、照明を対象領域に手動で向けることができることが想定されている。作業灯モードでは、照明ノード１１２の１つまたは複数を、作業現場の周辺の異なる場所に望み通りに手動で配置して、照明を複数の角度から作業現場に与えることができる。作業現場（ｗｏｒｋ−ｓｉｔｅ）モードでは、モジュール式照明システム１００が、動きが発生している作業現場内の特定の場所に照明を向けて、本来発生し得る影のインスタンスを減少させることができることが想定されている。
【００２７】
図１に示された実施形態では、内部電源１２８が筐体１２４内に配置され、スマートモジュール式照明システム１００を備える構成要素および回路に電力を供給するように構成される。しかしながら、いくつかの実施形態では、システム１００は、外部電源１３２、たとえばＡＣ壁ソケットまたは他の類似の電力源に結合することができる。理解されるように、筐体１２４は、好ましくは、外部電源１３２から伸びる電力コードを受けるように構成されるソケット、ならびに外部電源１３２から電力を受けるように構成される内部電気回路を備える。いくつかの実施形態では、内部電源１２８は、外部電源１３２によって充電可能な内部充電式電池を備えることができる。さらに、いくつかの実施形態では、外部電源１３２は、複数の照明ノード１１２に電力を提供することができ、内部充電式電池は、コントローラ１０４、動き検出器１０８、調整可能取付部材１１６、および夕暮れ−夜明け間センサ１２０の１つまたは複数に電力を提供する。いくつかの実施形態では、外部電源１３２は同時に、内部充電式電池を充電し、コントローラ１０４、動き検出器１０８、照明ノード１１２、調整可能取付部材１１６、および夕暮れ−夜明け間センサ１２０の１つまたは複数に電力を供給することができる。内部電源および外部電源をスマートモジュール式照明システム１００に結合するための他の技法は、本開示の範囲および精神から逸脱することなく、当業者にとって明らかであろう。
【００２８】
図１の実施形態に示されるように、少なくとも動き検出器１０８、夕暮れ−夜明け間センサ１２０、コントローラ１０４、照明ノード１１２、および調整可能取付部材１１６の間で電気信号を伝達するために電線が筐体１２４内に配置される。しかしながら、いくつかの実施形態では、動き検出器１０８、夕暮れ−夜明け間センサ１２０、コントローラ１０４、照明ノード１１２、および調整可能取付部材１１６の１つまたは複数が、無線接続、たとえばＷｉ−Ｆｉ、Ｂｌｕｅｔｏｏｔｈ（登録商標）、または他の類似の無線接続によって少なくとも１つの信号を送信および受信するように構成することができると考えられる。たとえば、一実施形態では、コントローラ１０４および複数の調整可能取付部材は、電線の長さを考慮する必要なくコントローラ１０４から様々な離れた距離に照明ノード１１２を配置しやすくするために、無線で通信するように構成することができる。さらに、いくつかの実施形態では、照明ノード１１２のそれぞれは、個々の照明ノードからコントローラ１０４または内部電源１２８まで配線する必要なく、個々の照明ノード１１２を様々な離れた場所に配置しやすくするために、充電式電池などの内部電源を備えることができる。そのような実施形態では、個々の照明ノード１１２を筐体１２４の表面上のデフォルトの場所に戻すと、充電式電池を充電できることが企図されている。スマートモジュール式照明システム１００を構成する全ての特定の構成要素の少なくとも一部の間の通信が、有線または無線接続によって、限定はしないが、本開示の精神および範囲から逸脱することなく実装できることを理解されたい。
【００２９】
図２は、本開示による、スマートモジュール式照明システム１００を作製するための一例示的方法２００を示すフローチャートである。方法２００は、本明細書に記載のようにスマートモジュール式照明システム１００を動作させるのに適した１つまたは複数の信号を受信、処理、および送信するようにコントローラ１０４を構成することを備えるステップ２０４から開始する。ステップ２０４は、コントローラを構成する１つまたは複数のマイクロプロセッサにより実行された場合に、本明細書に記載のように複数の照明ノード１１２を動作させるのに適した１つまたは複数の信号をコントローラに送信させる命令を、非一時的機械可読媒体（すなわち、メモリ）に記憶することをさらに備えることができる。好ましくは、ステップ２０４は、保護用機械的おおいとして機能する筐体１２４内にコントローラ１０４を配置することをさらに備える。
【００３０】
ステップ２０８は、検出フィールドまたは対象領域内の動きを検出し、検出された動きに応答して少なくとも１つの信号を送信するように動き検出器１０８を構成することを備える。ステップ２０８は、対象領域内で動きが観測された場合に動き検出器が少なくとも１つの信号をコントローラ１０４に送信するように、動き検出器１０８およびコントローラ１０４の間に接続を形成することをさらに備える。さらに、ステップ２０８は、環境光が所定のレベルより高い場合に、たとえば日照時間中に動き検出器１０８から受信される信号を無視するように、夕暮れ−夜明け間センサ１２０がコントローラ１０４に信号伝達することができるように、コントローラ１０４および夕暮れ−夜明け間センサ１２０の間に接続を形成することを備えることができる。接続は、様々な有線または無線接続によって、限定はしないが、実装することができる。
【００３１】
ステップ２１２は、少なくとも１つの信号を受信および送信し、調整可能に照明するように複数の照明ノード１１２を構成することを備える。ステップ２１２は、照明ノード１１２が、コントローラ１０４から受信された１つまたは複数の信号に応答して調整可能に照明するように、複数の照明ノード１１２のそれぞれとコントローラ１０４との間に接続を確立することをさらに備える。さらに、ステップ２１２は、複数の照明ノード１１２を、筐体１２４により取り外し可能に支持され、上述の手持ちモードおよび作業灯モードの少なくとも一方で使用可能となるように構成することを備えることができる。いくつかの実施形態では、ステップ２１２は、照明ノードのそれぞれの中に充電式電池などの内部電源を設置することと、照明ノード１１２をコントローラ１０４から離れて配置できるように、照明ノードおよびコントローラの間に無線接続を構成することとを備える。さらにまた、ステップ２１２は、照明ノードの内部電源が充電可能な照明ノード１１２のデフォルト位置を筐体１２４の表面上に構成することを備えることができる。
【００３２】
図２に示されるように、方法２００は、少なくとも１つの信号を受信および送信し、照明ノード１１２のそれぞれを調整可能に配向させるように複数の調整可能取付部材１１６を構成することを備えるステップ２１６で終了する。ステップ２１６は、調整可能取付部材のそれぞれが、対応する照明ノード１１２をコントローラ１０４から受信された信号に従って配向させるように、複数の調整可能取付部材１１６およびコントローラ１０４の間に接続を確立することをさらに備える。いくつかの実施形態では、ステップ２１６は、磁石、クリップ、ならびに任意の他の調整可能な結合構造のいずれかによって筐体１２４に結合されるように調整可能取付部材１１６のそれぞれを構成することを備えることができる。
【００３３】
図３は、本開示による、スマートモジュール式照明システム１００によって対象領域を照明する一例示的方法３００を示すフローチャートである。方法３００は、スマートモジュール式照明システム１００を用意することを備えるステップ３０４から開始する。ステップ３０４は、図２に関して論じられた方法２００を備えることができ、またはスマートモジュール式照明システム１００を作製するための任意の実質的に等価な方法を備えることができる。たとえば、いくつかの実施形態では、スマートモジュール式照明システム１００は、少なくともコントローラ１０４および複数の照明ノード１１２の間に有線接続を備えることができ、いくつかの実施形態では、スマートモジュール式照明システム１００は、少なくともコントローラ１０４および複数の照明ノード１１２の間に無線接続を備えることができる。スマートモジュール式照明システム１００を作製するための他の等価な方法は、本開示から逸脱することなく、当業者にとって明らかであろう。
【００３４】
ステップ３０８は、複数の照明ノード１１２を対象領域付近の場所に配置することを備える。照明ノード１１２は、様々な異なる角度から対象領域を照明するように配置して、対象領域内の影の発生を大幅に削減できると有利であると考えられる。いくつかの実施形態では、照明ノード１１２は、比較的集中化された場所から対象領域を照明するように、筐体１２４に結合することができる。スマートモジュール式照明システム１００がコントローラ１０４および複数の照明ノード１１２の間に有線接続を備えるいくつかの実施形態では、照明ノードは、電線の長さによって許容される場合に、対象領域の周辺または中の様々な場所に配置することができる。照明ノード１１２がコントローラ１０４に無線接続されるいくつかの実施形態では、照明ノードは、対象領域を実質的に囲むようにコントローラから離れて配置することができる。
【００３５】
ステップ３１２は、対象領域内の物体の動きを観測するのに適した場所に動き検出器１０８を配置することを備える。ステップ３１２は、対象領域の環境光を検出するのに適した場所に夕暮れ−夜明け間センサ１２０を配置することをさらに備える。理解されるように、無線接続を備えるスマートモジュール式照明システム１００の実施形態では、動き検出器１０８および夕暮れ−夜明け間センサ１２０は、対象領域の周辺または中で配線する負担なく、対象領域内の動きおよび環境光を有利に検出するように、コントローラ１０４から離れて配置することができる。
【００３６】
スマートモジュール式照明システム１００が上記のステップに関して論じられたように対象領域付近で有利に組み立てられると、方法３００は、システム１００に電力を供給することを備えるステップ３１６に進む。いくつかの実施形態では、システム１００を外部電源１３２、たとえばＡＣ壁ソケットまたは他の類似の電力源に結合することができる。しかしながら、外部電源１３２の不在下では、ステップ３１６はシステム１００の内部電源１２８を充電することを備えることができる。複数の照明ノード１１２がそれぞれ内部電池を備えるいくつかの実施形態では、ステップ３１６は、必要に応じて内部電源１２８および外部電源１３２の一方または両方によって内部電池を充電することを備えることができる。
【００３７】
スマートモジュール式照明システム１００が対象領域付近で組み立てられ、ステップ３１６に記載のように電力を受けると、方法３００は、対象領域内の少なくとも１つの物体の動きを検出することを備えるステップ３２０に進む。動きが観測されると、動き検出器１０８は少なくとも１つの信号をコントローラ１０４に送信する。夕暮れ−夜明け間センサ１２０により検出される環境光が所定のレベル未満である限り、コントローラ１０４は上述のように、動き検出器１０８から受信される信号を処理し、次いで少なくとも１つの信号を複数の照明ノード１１２のそれぞれに送信し、少なくとも１つの信号を調整可能取付部材１１６のそれぞれに送信する。
【００３８】
ステップ３２４は、コントローラ１０４から少なくとも１つの信号を受信することと、信号に応答して複数の照明ノード１１２の少なくとも１つの照明または明るさを調整することとを備える。いくつかの実施形態では、照明は、対象領域内で動く物体に所望のレベルの光を当てるように、所定の度合いに調整することができる。いくつかの実施形態では、照明は、移動物体に光を当てるために、初期のオフ状態からオン状態に切り替えることができる。しかしながら、好ましくは、コントローラ１０４は、様々な異なる角度から移動物体を望ましく照明するように、複数の照明ノード１１２の全てに信号伝達する。
【００３９】
方法３００は、コントローラ１０４から少なくとも１つの信号を受信することと、複数の照明ノード１１２の少なくとも１つの向きを、それに結合された調整可能取付部材１１６によって調整することとを備えるステップ３２８で終了する。いくつかの実施形態では、コントローラ１０４は、複数の調整可能取付部材１１６の一部に信号伝達するが、調整可能取付部材の残りの部分には信号伝達しない。このようにして、システム１００は、照明ノード１１２の一部を移動物体へ真っ直ぐ配向させるが、照明ノードの残りの部分を以前の向きのままにすることができる。しかしながら、いくつかの実施形態では、コントローラ１０４は、照明ノード１１２の全てを移動物体へ配向させるように複数の調整可能取付部材１１６の全てに信号伝達して、物体に光を当てることによって、影の発生を減少させる。ステップ３２８は、コントローラ１０４が少なくとも１つの信号を複数の照明ノード１１２の全部または一部に送信して、所定の期間が経過した後に照明ノードをオフにすることをさらに備えることができる。
【００４０】
本明細書で詳細に図示および説明された情報は、本開示の上述の目的、本開示の現在好ましい実施形態を完全に実現することが可能であり、したがって、本開示により広く企図される主題を代表するものである。本開示の範囲は、当業者に明らかとなり得る他の実施形態を完全に包含し、したがって、添付の特許請求の範囲以外の何物によっても限定されることはなく、特許請求の範囲においては、単数形でなされている要素へのいかなる参照も、明示的に述べられていない限り、「１つのみ」を意味するものではなく、むしろ「１つまたは複数」を意味するものとする。上述の好ましい実施形態および当業者によって考慮される追加の実施形態の要素に対する全ての構造的および機能的均等物は、引用により本明細書に明示的に組み込まれており、本特許請求の範囲に包含されるものとする。
【００４１】
また、システムまたは方法は、そのようなものが本特許請求の範囲により包含されるために、本開示が解決しようとするあらゆる問題に対処する必要はなく、さらに、本開示のいかなる要素、構成要素または方法ステップも、その要素、構成要素または方法ステップが特許請求の範囲に明示的に列挙されているか否かに関わらず、公衆に捧げられることは意図されていない。しかしながら、形状、材料、工作物、および加工材料の詳細の様々な変更および修正は、当業者にとって明らかなように、添付の特許請求の範囲に記載された本開示の精神および範囲から逸脱することなく行うことができ、同様に本開示に包含される。
【００４２】
本発明は特定の変形および例示的な図面の観点で説明されているが、当業者であれば、本発明が説明された変形または図面に限定されないことを認識するであろう。加えて、上記の方法およびステップが、特定の順序で発生する特定のイベントを示している場合、当業者であれば、特定のステップの順序を修正できること、およびそのような修正が本発明の変形に従うことを認識するであろう。さらに、ステップのいくつかは、可能な場合、並列処理で同時に実施することができ、上述のように順次的に実施することができる。本開示の精神に含まれ、または特許請求の範囲に記載の発明と等価である本発明の変形が存在する限りにおいて、この特許がそれらの変形も網羅するものとする。したがって、本開示は、本明細書に記載の特定の実施形態によってではなく、添付の特許請求の範囲によってのみ限定されるものと理解されたい。
【図１】
2017534167.tif 000003
【図２】
2017534167.tif 000004
【図３】
2017534167.tif 000005
【国際調査報告】
2017534167.tif 000006